(57)【要約】【課題】  本発明は、有料道路の通行料金やパーキングエリア内の店舗等での料金の支払いの双方をＩＣチップ部を用いて自動的に行う自動料金支払いシステムに用いる車載器を提供することを目的とする。【解決手段】  路側アンテナとの間で近距離無線通信により情報の送受信を行うアンテナ部と、電源部と、近距離無線通信で送受信する情報を変復調する変復調部と、ＥＴＣ情報とカード情報の双方を記録したＩＣチップ部と、車載器の制御を行う制御処理部と、各情報をＩＣチップ部から抽出し変復調部に送信するＥＴＣ処理部とを有しており、変復調部は、ＥＴＣ情報をＡＳＫ変復調方式により変復調し、カード情報をＡＳＫ変復調方式以外の変復調方式により変復調し、制御処理部は、ＥＴＣ情報をＡＳＫ変復調方式で変復調を行う命令を変復調部に送信し、カード情報をＡＳＫ変復調方式以外で変復調を行う命令を変復調部に送信する、車載器である。【選択図】  図１
2005235117.tif 000002
【特許請求の範囲】
【請求項１】
自動料金支払いシステムで用いる車載器であって、
前記自動料金支払いシステムで用いる路側アンテナとの間で近距離無線通信により情報の送受信を行うアンテナ部と、
前記車載器に電力を供給する電源部と、
前記路側アンテナとの間で近距離無線通信で送受信する情報を変復調する変復調部と、
有料道路の通行料金決済に用いるＥＴＣ情報とそれ以外の料金決済に用いるカード情報との双方を記録したＩＣチップ部と、
前記車載器の制御を行う制御処理部と、
前記ＥＴＣ情報又は前記カード情報を前記ＩＣチップ部から抽出し、それを変復調部に送信するＥＴＣ処理部と、を有する車載器であって、
前記変復調部は、
前記ＥＴＣ情報をＡＳＫ変復調方式により変復調する手段と、前記カード情報を前記ＡＳＫ変復調方式以外の変復調方式により変復調する手段とからなり、
前記制御処理部は、
有料道路の通行料金決済を行う場合には、前記ＥＴＣ処理部が前記ＩＣチップ部から抽出した前記ＥＴＣ情報を前記ＡＳＫ変復調方式で変復調を行う命令を前記変復調部に送信し、それ以外の料金決済を行う場合には、前記ＥＴＣ処理部が前記ＩＣチップ部から抽出した前記カード情報を前記ＡＳＫ変復調方式以外で変復調を行う命令を前記変復調部に送信する、
ことを特徴とする自動料金支払いシステムで用いる車載器。
【請求項２】
前記車載器は、更に、
前記ＩＣチップ部に記録したＥＴＣ情報を暗号化するセキュリティモジュール部と、
有料道路の通行料金決済を行う場合には前記ＩＣチップ部に記録したＥＴＣ情報を前記セキュリティモジュール部を介して抽出するように切り替え、それ以外の料金決済を行う場合には前記ＩＣチップ部に記録したカード情報を前記セキュリティモジュール部を介さずに抽出するように切り替えるスイッチ部と、を有しており、
前記制御処理部は、
有料道路の通行料金決済を行う場合には、前記ＩＣチップ部に記録している前記ＥＴＣ情報を前記セキュリティモジュール部を介して抽出するように前記スイッチ部を切り替える命令を送信し、それ以外の料金決済を行う場合には、前記ＩＣチップ部に記録している前記カード情報を前記セキュリティモジュール部を介さずに抽出するように前記スイッチ部を切り替える命令を送信する、
ことを特徴とする請求項１に記載の自動料金支払いシステムで用いる車載器。
【請求項３】
前記車載器は、更に、
カーナビゲーション装置と接続可能な外部インターフェイス部を有しており、
前記制御処理部は、
前記有料道路の通行料金決済又はそれ以外の料金決済の処理結果を、前記外部インターフェイス部を介して前記カーナビゲーション装置に送信し、前記カーナビゲーション装置のディスプレイ又はスピーカーに於いてその処理結果を表示、音声再生する、
ことを特徴とする請求項１又は請求項２に記載の自動料金支払いシステムで用いる車載器。
【請求項４】
前記車載器は、更に、
コンピュータ端末と接続可能な外部インターフェイス部を有しており、
前記コンピュータ端末は、前記自動料金支払いシステムの管理会社が利用するＥＴＣ管理会社システムとネットワークを介してデータの送受信が可能であり、
前記ＥＴＣ処理部は、
前記外部インターフェイス部を介して接続した前記コンピュータ端末から前記ＥＴＣ情報を受信することで、前記ＥＴＣ情報を前記ＩＣチップ部に記録する、
ことを特徴とする請求項１又は請求項２に記載の自動料金支払いシステムで用いる車載器。
【請求項５】
前記車載器は、更に、
コンピュータ端末と接続可能な外部インターフェイス部を有しており、
前記コンピュータ端末は、前記クレジットカード会社が利用するクレジットカード会社システムとネットワークを介してデータの送受信が可能であり、
前記ＥＴＣ処理部は、
前記外部インターフェイス部を介して接続した前記コンピュータ端末から前記カード情報を受信することで、前記カード情報を前記ＩＣチップ部に記録する、
ことを特徴とする請求項１又は請求項２に記載の自動料金支払いシステムで用いる車載器。
【請求項６】
前記外部インターフェイス部は、ＵＳＢ接続端子である、
ことを特徴とする請求項３から請求項５のいずれかに記載の自動料金支払いシステムで用いる車載器。
【発明の詳細な説明】
【技術分野】
【０００１】
本発明は、有料道路の通行料金やパーキングエリア内の店舗等での料金の支払いを自動的に行う自動料金支払いシステムに用いる車載器に関する。
【背景技術】
【０００２】
有料道路の通行料金決済をスムースに行う為に、料金所で一時停車し料金の支払いを行うのではなく、車両に設置した車載器と料金所に設けられた路側アンテナとの間で情報の送受信を行うことでノンストップで料金決済を行う、ＥＴＣ（Electronic Toll Collection System。ＥＴＣは財団法人道路システム高度化推進機構の登録商標である）と呼ばれる自動料金支払いシステムが存在している。ＥＴＣは、下記の非特許文献１に詳しく説明されているように、料金所等の決済場所に設けられた路側アンテナと、車両に設置された車載器との間で近距離無線通信（近距離無線通信には、ＤＳＲＣ（Dedicated Short Range Communications。狭域データ通信）、無線ＬＡＮ、赤外線通信、ブルートゥース等が該当する）を用いて情報の送受信を行うことによって、通行料金の決済を行うシステムである。尚、本明細書に於いて自動料金支払いシステムとは、近距離無線通信を用いて車載器と路側アンテナとの間の情報の送受信を行うことによって決済を行うシステムをさす。
【０００３】
かかる自動料金支払いシステムに於いて、車両に設置した車載器に専用のクレジットカード（通称、ＥＴＣカード）を挿入することで、車両が路側アンテナに接近すると自動的に近距離無線通信による通信を開始し、通行料金等の決済を行うことができる。そして、利用者が車両から降車する際には、ＥＴＣカードの盗難を防ぐ為に、車載器からＥＴＣカードを抜き取り保管することとなる。
【０００４】
又、近年では、自動料金支払いシステムの利用促進を図る為に、有料道路の通行料金決済のみならず、路側アンテナを設けたインターチェンジやパーキングエリア内の店舗等の各種の施設での料金決済をも行えるようにすることが考えられている。
【０００５】
【特許文献１】特願２００２−３１３７０５号公報
【特許文献２】特願２００２−３１３７０９号公報
【特許文献３】特願２００２−３１３８８０号公報
【特許文献４】特願２００２−３１３８８３号公報
【非特許文献１】財団法人道路システム高度化推進機構著「ＥＴＣ（イーテック）便覧」道路システム高度化推進機構発行、平成１４年４月、ｐ．１０−４２
【発明の開示】
【発明が解決しようとする課題】
【０００６】
しかし、上述のように自動料金支払いシステムを利用する度に車載器にＥＴＣカードを挿入しなければならない現状のシステムでは、車載器にＥＴＣカードを挿入し忘れて路側アンテナに接近する事態が考えられるが、このような場合、自動料金支払いシステムによる決済は当然行えないので、料金所等に設けられたゲートがあがらず、そのままゲートに衝突する等の事故を誘発する危険性がある。
【０００７】
更にＥＴＣカードは有料道路の通行料金決済専用カードであるので、上述したインターチェンジやパーキングエリア内の店舗等の各種の施設での決済には用いることができず、利用者が別のクレジットカードを車載器に挿入する必要がある。
【０００８】
即ち、有料道路の通行料金決済を行う場合には車載器にＥＴＣカードを挿入し、それ以外の各種施設での料金決済を行う場合にはＥＴＣカードを抜き取り、新たに別のクレジットカードを挿入し、再度有料道路の通行料金決済を行う場合には車載器にＥＴＣカードを再び挿入する、といった動作を繰り返さなければならない。このような煩雑な動作を行うことは運転者の注意力を散漫とする危険性がある。
【０００９】
又、従来のＥＴＣカードによる車載器の利用開始の際には、車載器をセットアップする作業を専用の店舗等で行わなければならないという問題もある。
【課題を解決するための手段】
【００１０】
そこで本発明者等は、従来のようにＥＴＣカードやクレジットカードを用いるのではなく、それらの情報を記録したＩＣチップを車載器に搭載することで、カードの交換等の作業を行うことなく、有料道路等での料金決済と各種施設での決済の双方が実現できる車載器を発明した。
【００１１】
更に当該車載器に外部と接続可能なインターフェイスを設けることによって、そのセットアップ作業を任意のコンピュータ端末から実行可能とし、作業負担も軽減することができる車載器とした。
【００１２】
請求項１の発明は、自動料金支払いシステムで用いる車載器であって、前記自動料金支払いシステムで用いる路側アンテナとの間で近距離無線通信により情報の送受信を行うアンテナ部と、前記車載器に電力を供給する電源部と、前記路側アンテナとの間で近距離無線通信で送受信する情報を変復調する変復調部と、有料道路の通行料金決済に用いるＥＴＣ情報とそれ以外の料金決済に用いるカード情報との双方を記録したＩＣチップ部と、前記車載器の制御を行う制御処理部と、前記ＥＴＣ情報又は前記カード情報を前記ＩＣチップ部から抽出し、それを変復調部に送信するＥＴＣ処理部と、を有する車載器であって、前記変復調部は、前記ＥＴＣ情報をＡＳＫ変復調方式により変復調する手段と、前記カード情報を前記ＡＳＫ変復調方式以外の変復調方式により変復調する手段とからなり、前記制御処理部は、有料道路の通行料金決済を行う場合には、前記ＥＴＣ処理部が前記ＩＣチップ部から抽出した前記ＥＴＣ情報を前記ＡＳＫ変復調方式で変復調を行う命令を前記変復調部に送信し、それ以外の料金決済を行う場合には、前記ＥＴＣ処理部が前記ＩＣチップ部から抽出した前記カード情報を前記ＡＳＫ変復調方式以外で変復調を行う命令を前記変復調部に送信する、自動料金支払いシステムで用いる車載器である。
【００１３】
このようにＩＣチップ部に、ＥＴＣ情報とカード情報の双方を記録しておけば、従来のように、ＥＴＣカードとクレジットカードの双方の交換作業を行う必要がなくなり、運転者の注意力を散漫とする危険性を回避することが出来る。又、ＥＴＣカードの挿入し忘れといった問題も解決することが出来る。
【００１４】
更に、有料道路の通行料金決済ではＡＳＫ変復調方式が用いられており、それ以外の料金決済では、ＱＰＳＫ変復調方式のような異なる変復調方式が用いられている。そこで本発明のように、変復調部で２つの変復調方式に対応可能にしておけば、正常に情報の送受信が行える。
【００１５】
請求項２の発明は、前記車載器は、更に、前記ＩＣチップ部に記録したＥＴＣ情報を暗号化するセキュリティモジュール部と、有料道路の通行料金決済を行う場合には前記ＩＣチップ部に記録したＥＴＣ情報を前記セキュリティモジュール部を介して抽出するように切り替え、それ以外の料金決済を行う場合には前記ＩＣチップ部に記録したカード情報を前記セキュリティモジュール部を介さずに抽出するように切り替えるスイッチ部と、を有しており、前記制御処理部は、有料道路の通行料金決済を行う場合には、前記ＩＣチップ部に記録している前記ＥＴＣ情報を前記セキュリティモジュール部を介して抽出するように前記スイッチ部を切り替える命令を送信し、それ以外の料金決済を行う場合には、前記ＩＣチップ部に記録している前記カード情報を前記セキュリティモジュール部を介さずに抽出するように前記スイッチ部を切り替える命令を送信する、自動料金支払いシステムで用いる車載器である。
【００１６】
有料道路の通行料金決済にはセキュリティを確保する為に、ＥＴＣ情報を暗号化した後に路側アンテナに対して送信している。しかしこの暗号方式は、他の用途に用いることが出来ない。そこで、有料道路の通行料金決済にはセキュリティモジュール部でＥＴＣ情報の暗号化を行い、それ以外の料金決済にはセキュリティモジュール部を介さずカードの情報の抽出を行うスイッチ部を設けることによって、既存の有料道路の通行料金決済の利用を図ることが可能となる。
【００１７】
請求項３の発明は、前記車載器は、更に、カーナビゲーション装置と接続可能な外部インターフェイス部を有しており、前記制御処理部は、前記有料道路の通行料金決済又はそれ以外の料金決済の処理結果を、前記外部インターフェイス部を介して前記カーナビゲーション装置に送信し、前記カーナビゲーション装置のディスプレイ又はスピーカーに於いてその処理結果を表示、音声再生する、自動料金支払いシステムで用いる車載器である。
【００１８】
本発明のように車載器とカーナビゲーション装置とを連動させても良い。
【００１９】
請求項４の発明は、前記車載器は、更に、コンピュータ端末と接続可能な外部インターフェイス部を有しており、前記コンピュータ端末は、前記自動料金支払いシステムの管理会社が利用するＥＴＣ管理会社システムとネットワークを介してデータの送受信が可能であり、前記ＥＴＣ処理部は、前記外部インターフェイス部を介して接続した前記コンピュータ端末から前記ＥＴＣ情報を受信することで、前記ＥＴＣ情報を前記ＩＣチップ部に記録する、自動料金支払いシステムで用いる車載器である。
【００２０】
請求項５の発明は、前記車載器は、更に、コンピュータ端末と接続可能な外部インターフェイス部を有しており、前記コンピュータ端末は、前記クレジットカード会社が利用するクレジットカード会社システムとネットワークを介してデータの送受信が可能であり、前記ＥＴＣ処理部は、前記外部インターフェイス部を介して接続した前記コンピュータ端末から前記カード情報を受信することで、前記カード情報を前記ＩＣチップ部に記録する、自動料金支払いシステムで用いる車載器である。
【００２１】
これらの発明のように、外部インターフェイス部を介することによって、ＥＴＣ情報、カード情報のセットアップ作業を任意のコンピュータ端末で容易に行える。
【００２２】
請求項６の発明は、前記外部インターフェイス部は、ＵＳＢ接続端子である、自動料金支払いシステムで用いる車載器である。
【００２３】
上述の外部インターフェイス部には、その汎用性、取り扱い容易性等からＵＳＢ接続端子を用いることが良い。
【発明の効果】
【００２４】
上述のような発明を用いることによって、カードの交換作業を行うことなく、有料道路での通行料金決済と各種施設での決済の双方が実現できる車載器が可能となる。
【００２５】
更に当該車載器に外部と接続可能なインターフェイスを設けることによって、そのセットアップ作業を任意のコンピュータ端末から実行可能とし、セットアップ作業負担も軽減することができる。
【発明を実施するための最良の形態】
【００２６】
本発明の車載器１のシステム構成の一例を図１のシステム構成図に示す。車載器１は、アンテナ部２、電源部１０、変復調部３、制御処理部４、ＥＴＣ処理部５、スイッチ部６、セキュリティモジュール部７、ＩＣチップ部８、外部インターフェイス部９、リセット部１１とを有している。
【００２７】
アンテナ部２は、路側アンテナ１２との間で近距離無線通信により情報の送受信を行う手段であり、ＥＴＣカードの情報（以下、ＥＴＣ情報。ＥＴＣカード番号、車載器番号、車両登録番号等）やクレジットカードの情報（以下、カード情報。クレジットカード番号、有効期限等）を送受信する。
【００２８】
電源部１０は、車載器１に対して電力を供給する公知の手段であり、車両のバッテリーから供給されても良いし、太陽電池等により蓄電した電力を車載器１に対して供給しても良い。
【００２９】
変復調部３は、路側アンテナ１２との間で近距離無線通信により送受信する情報（ＥＴＣ情報、カード情報）を変復調する手段である。変復調部３は、有料道路の通行料金決済を行うＡＳＫ（Amplitude Shift Keying）変復調を行う手段と、クレジットカードによる各種施設での料金決済を行うＱＰＳＫ（Quadrature Phase Shift Keying）変復調を行う手段とを有している。このように変復調部３で２つの変復調方式を具備するのは、有料道路の通行料金決済ではＡＳＫ変復調が用いられており、それ以外ではＱＰＳＫ変復調が用いられるからである。尚、本発明ではクレジットカードによる各種施設での料金決済を行う場合の変復調方式として、ＱＰＳＫ変復調方式である場合を説明したが、それ以外の変復調方式であっても良い。
【００３０】
ＩＣチップ部８は、ＥＴＣカードに記録されているＥＴＣ情報、例えばＥＴＣカード番号、車載器番号、車両登録番号等と、クレジットカードのカード情報、例えばクレジットカード番号、有効期限等の情報を各々の記録領域に記録しているＩＣチップである。
【００３１】
セキュリティモジュール部７は、有料道路の通行料金決済を行う際に、自動料金支払いシステムで用いられているセキュリティフォーマット（暗号形式）に従って、ＩＣチップ部８に記録されているＥＴＣ情報（ＥＴＣカード番号、車載器番号、車両登録番号等）を暗号化する手段である。暗号化したＥＴＣ情報は、変復調部３のＡＳＫ変復調方式によって変復調後、アンテナ部２から路側アンテナ１２に送信される。
【００３２】
又、アンテナ部２で受信した、有料道路の通行料金決済に関する処理結果やＥＴＣ情報は、変復調部３でＡＳＫ変復調方式によって変復調後、セキュリティモジュール部７に於いて上述のセキュリティフォーマットに従って復号化し、それがＩＣチップ部８に記録される。
【００３３】
スイッチ部６は、クレジットカードによる各種施設での料金決済を行う際に、ＩＣチップ部８に記録されているカード情報（クレジットカード番号、有効期限等）を、セキュリティモジュール部７を介さずに抽出するように切り替える手段である。従って、スイッチ部６は、有料道路の通行料金決済を行う場合には、ＩＣチップ部８に記録しているＥＴＣ情報をセキュリティモジュール部７を介して抽出するように切り替え、それ以外の場合には、ＩＣチップ部８に記録しているカード情報をセキュリティモジュール部７を介さずに抽出するように切り替えるスイッチの役割を果たしている。
【００３４】
制御処理部４は、車載器１の制御を行っている手段であって、有料道路の通行料金決済を行う場合には、制御処理部４は、ＩＣチップ部８に記録しているＥＴＣ情報をセキュリティモジュール部７を介して抽出するように、スイッチ部６を切り替える命令を送信し、又、変復調部３に対してはＡＳＫ変復調方式による変復調を行う命令を送信する。一方、クレジットカードによる各種施設での料金決済を行う場合には、制御処理部４は、ＩＣチップ部８に記録しているカード情報をセキュリティモジュール部７を介さずに抽出するように、スイッチ部６を切り替える命令を送信し、又、変復調部３に対してはＱＰＳＫ変復調方式による変復調を行う命令を送信する。
【００３５】
又、制御処理部４は、車載器１の表示制御、音声制御等も行っており、ＥＴＣ処理部５に於ける処理結果を車載器１のディスプレイに表示したり、車載器１のスピーカーを介して音声を再生したりする。
【００３６】
ＥＴＣ処理部５は、有料道路の通行料金決済、各種施設での料金決済を行う為のＥＴＣ情報、カード情報を抽出する手段であって、それらを変復調部３にて変復調した後、アンテナ部２から路側アンテナ１２に対して送信する。更に、アンテナ部２に於いて受信し、変復調部３に於いて変復調後の情報を、制御処理部４に対して送信することで、例えば車載器１のディスプレイやスピーカーからその処理結果を表示、再生する。
【００３７】
有料道路の通行料金決済を行う場合には、ＥＴＣ処理部５は、スイッチ部６が制御処理部４によってセキュリティモジュール部７を介するようにセットされているので、ＩＣカードチップ部に記録しているＥＴＣ情報を抽出し、それをセキュリティモジュール部７にて暗号化したＥＴＣ情報を取得し、それを変復調部３に送信する。
【００３８】
クレジットカードによる各種施設での料金決済を行う場合には、ＥＴＣ処理部５は、スイッチ部６が制御処理部４によってセキュリティモジュール部７を介さないようにセットされているので、ＩＣカードチップ部に記録しているカード情報をそのまま抽出し、それを変復調部３に送信する。尚、カード情報は、ＥＴＣ処理部５に於いて、独自の暗号化処理を施した後に、変復調部３に送信しても良い。
【００３９】
外部インターフェイス部９は、車載器１のセットアップを行うコンピュータ端末１３や、車両に設置されたカーナビゲーション装置との間を接続する端子部であって、好適にはＵＳＢ接続端子であると良い。
【００４０】
リセット部１１は、ＩＣカードチップ部に記録している情報をリセットする手段である。例えばＥＴＣ情報の車両登録番号に変更があった場合等にリセット部１１を押下する等により、ＩＣチップ部８の情報がリセットされる。
【００４１】
次に、本発明の自動料金支払いシステムに用いる車載器１での処理の流れを、図２及び図３のフローチャート図、図１のシステム構成図とを用いて説明する。
【００４２】
車載器１を搭載した車両が自動料金支払いシステムで用いる路側アンテナ１２に接近をする（Ｓ１００）。この路側アンテナ１２は、有料道路の通行料金決済を行う為に、インターチェンジや料金所等に設置されていても良いし、クレジットカードによる決済を行う為に、店舗等の近傍に設置されていても良い。
【００４３】
車載器１が路側アンテナ１２の通信圏内に到達すると、車載器１と路側アンテナ１２との間で近距離無線通信による通信が開始される（Ｓ１１０）。近距離無線通信にＤＳＲＣを用いている場合には、この通信は自動的に開始され、それ以外を用いている場合には、例えば車載器１に設けられた「通信開始」を示すボタンを押下する等の操作により、通信が開始されても良い。
【００４４】
この近距離無線通信が有料道路の通行料金決済の場合には（Ｓ１２０）、制御処理部４はスイッチ部６に対してセキュリティモジュール部７を介してＥＴＣ情報を抽出する為に、スイッチを切り替える（Ｓ１３０）。
【００４５】
ＥＴＣ処理部５は、スイッチ部６でセキュリティモジュール部７を介するようにセットされているので、ＩＣチップ部８からＥＴＣ情報を抽出し（Ｓ１４０）、それをセキュリティモジュール部７に於いて、自動料金支払いシステムで用いられているセキュリティフォーマット（暗号形式）に従ってＥＴＣ情報を暗号化する（Ｓ１５０）。
【００４６】
そしてＥＴＣ処理部５は、暗号化したＥＴＣ情報を変復調部３に送信する。又、制御処理部４は、有料道路の通行料金決済であるので、ＡＳＫ変復調方式による変復調を行う命令を変復調部３に対して送信する。
【００４７】
変復調部３では、制御処理部４からの命令に従った変復調方式（ＡＳＫ変復調方式）によって、ＥＴＣ処理部５から受信した、暗号化したＥＴＣ情報を変復調する（Ｓ１６０）。
【００４８】
一方、近距離無線通信が有料道路の通行料金決済以外の場合、例えば各種施設でのクレジットカードによる料金決済の場合には、制御処理部４はスイッチ部６に対してセキュリティモジュール部７を介さないようにスイッチを切り替える（Ｓ１７０）。
【００４９】
ＥＴＣ処理部５は、スイッチ部６でセキュリティモジュール部７を介さないようにセットされているので、ＩＣチップ部８からカード情報を抽出し（Ｓ１８０）、それを変復調部３に送信する。尚、この際に、ＥＴＣ処理部５ではカード情報に対して独自の暗号処理を施しても良い。又、制御処理部４は、有料道路の通行料金決済以外であるので、ＱＰＳＫ変復調方式による変復調を行う命令を変復調部３に対して送信する。
【００５０】
変復調部３では、制御処理部４からの命令に従って変復調方式（ＱＰＳＫ変復調方式）によって、ＥＴＣ処理部５から受信したカード情報を変復調する（Ｓ１９０）。
【００５１】
変復調部３で変復調した暗号化したＥＴＣ情報、カード情報は、アンテナ部２から路側アンテナ１２に対して送信する（Ｓ２００）。
【００５２】
このように、車載器１から路側アンテナ１２に対してＥＴＣ情報、カード情報を送信することで、路側アンテナ１２でＥＴＣ情報、カード情報が受信され、それが有料道路の通行料金決済を行う決済サーバ、それ以外の料金決済を行う決済サーバに対して送信される。これによって、各々の決済が行われる。
【００５３】
その後、処理結果の情報が、有料道路の通行料金決済を行う決済サーバ、それ以外の料金決済を行う決済サーバから路側アンテナ１２に対して送信され、路側アンテナ１２から車載器１に対して近距離無線通信により、情報が送信される。この情報を車載器１が近距離無線通信により受信する（Ｓ２１０）。
【００５４】
有料道路の通行料金決済である場合（Ｓ２２０）、制御処理部４は変復調部３に対してＡＳＫ変復調方式による変復調を行う命令を送信しているので、アンテナ部２から情報を受信した変復調部３は、ＡＳＫ変復調方式により、受信した情報を変復調する（Ｓ２３０）。
【００５５】
そして、スイッチ部６では制御処理部４がセキュリティモジュール部７を介するようにセットしているので、変復調した情報をＥＴＣ処理部５がセキュリティモジュール部７に送信し、自動料金支払いシステムで用いられているセキュリティフォーマット（暗号形式）に従って、受信した情報を復号化する（Ｓ２４０）。そして復号化した情報を、場合によってはＩＣチップ部８の有料道路の通行料金決済を行う場合の情報を記録する領域に記録する（Ｓ２６０）。
【００５６】
一方、有料道路の通行料金決済以外の場合（Ｓ２２０）、例えば各種施設での料金決済の場合、制御処理部４は変復調部３に対してＱＰＳＫ変復調方式による変復調を行う命令を送信しているので、アンテナ部２から情報を受信した変復調部３は、ＱＰＳＫ変復調方式により、受信した情報を変復調する（Ｓ２５０）。
【００５７】
そして、スイッチ部６では制御処理部４がセキュリティモジュール部７を介さないようにセットしているので、変復調した情報をＥＴＣ処理部５がＩＣチップ部８の有料道路の通行料金決済以外を行う場合の情報を記録する領域に記録する（Ｓ２６０）。尚、ＥＴＣ処理部５は、変復調した情報をＩＣチップ部８に記録する前に、その情報に所定の暗号処理が施されている場合には、その復号処理後にＩＣチップ部８に記録する。
【００５８】
その後、ＥＴＣ処理部５は、制御処理部４を介して処理結果の情報を、車載器１のディスプレイで表示、スピーカーで音声再生を行い、そのことを運転者に対して知らせる。
【００５９】
本発明の車載器１は、外部インターフェイス部９を介してカーナビゲーション装置と接続可能にしてあっても良い。即ち、車載器１のディスプレイやスピーカーでその表示、音声再生を行うほか、車載器１の外部インターフェイス部９を介してカーナビゲーション装置のディスプレイやスピーカーでその表示、音声再生を行っても良い。この場合には、ＥＴＣ処理部５は制御処理部４に処理結果の情報を送信し、制御処理部４は、外部インターフェイス部９を介してカーナビゲーション装置に対して、処理結果の情報を送信し、カーナビゲーション装置のディスプレイ、スピーカーでその表示、音声再生を行うこととなる。
【００６０】
次に、本発明の車載器１を車両に搭載し、セットアップ作業を行う場合を説明する。セットアップ作業とは、車載器１を車両に搭載し、その車載器１を利用可能にする処理を言う。図４にこの場合のシステム構成の一例を示す。
【００６１】
セットアップ作業を行う際には、有料道路の通行料金決済に用いるＥＴＣ情報をＩＣチップ部８に記録する。この際に、車載器１の外部インターフェイス部９と直接接続可能なインターフェイスを有するコンピュータ端末１３を車載器１と接続し、ＥＴＣカード番号、車載器番号、車両登録番号等のＥＴＣ情報をコンピュータ端末１３から入力する。
【００６２】
この入力を外部インターフェイス部９を介して受信した制御処理部４は、それをＥＴＣ処理部５に送信し、ＥＴＣ処理部５では、ＩＣチップ部８のＥＴＣ情報を記録する記録領域に、前記受信した情報（ＥＴＣカード番号、車載器番号、車両登録番号等）を記録する。
【００６３】
又、車載器１と接続したコンピュータ端末１３は、ＥＴＣ管理会社システム１４（ＥＴＣを運営する管理会社のコンピュータシステム）に対しても、インターネット等のネットワークを介して、ＩＣチップ部８に記録したＥＴＣ情報を送信する。これを受信したＥＴＣ管理会社システム１４では、それを記録する。このＥＴＣ管理会社システム１４に対する登録作業によって、有料道路等の料金をユーザに請求することが可能となる。
【００６４】
従来は、車載器１に挿入するＥＴＣカードにＥＴＣ情報の登録を行っていたが、このような場合では、ＥＴＣカードに記録する為の専用の装置（ＩＣカード書込装置）が必要となり、セットアップ作業が行える場所が限定されていた。それを、上述のように、外部インターフェイス部９を介してコンピュータ端末１３からＩＣチップ部８、ＥＴＣ管理会社システム１４に対して、ＥＴＣ情報を登録することによって、コンピュータ端末１３にインターフェイスさえあればどのような場所であっても容易にセットアップ作業が行える。特に、この車載器１の外部インターフェイス部９にＵＳＢ(Universal Serial Bus）を用いることによって、どのようなコンピュータ端末１３であっても、ＵＳＢ接続端子さえあれば容易に接続することが可能となる。
【００６５】
次に、本発明の車載器１へのカード情報のセットアップ作業を行う場合を説明する。図５にこの場合のシステム構成の一例を示す。
【００６６】
カード情報のセットアップ作業を行う際には、クレジットカードの料金決済に用いるカード情報をＩＣチップ部８に記録する。この際に、車載器１の外部インターフェイス部９と直接接続可能なインターフェイスを有するコンピュータ端末１３を車載器１と接続し、クレジットカード番号、有効期限等のカード情報をコンピュータ端末１３から入力する。
【００６７】
この入力を外部インターフェイス部９を介して受信した制御処理部４は、それをＩＣチップ部８のカード情報を記録する記録領域に記録する。
【００６８】
又、車載器１と接続したコンピュータ端末１３は、クレジットカード会社システム１５（クレジットカード会社の決済システム）に対しても、インターネット等のネットワークを介して、ＩＣチップ部８に記録したカード情報を送信する。これを受信したクレジットカード会社システム１５では、それによって、ＩＣチップ部８にカード情報が記録されたことを把握できる。
【００６９】
本発明に於ける各手段は、その機能が論理的に区別されているのみであって、物理上あるいは事実上は同一の領域を為していても良い。
【００７０】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００７１】
この場合、記憶媒体から読み出されたプログラム自体が前記した実施態様の機能を実現することとなり、そのプログラムを記憶した記憶媒体は本発明を当然のことながら構成することになる。
【００７２】
プログラムを供給する為の記憶媒体としては、例えば磁気ディスク、ハードディスク、光ディスク、光磁気ディスク、磁気テープ、不揮発性のメモリカード等を使用することができる。
【００７３】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００７４】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００７５】
このような発明を用いることによって、カードの交換等の作業を行うことなく、有料道路等での料金決済と各種施設での決済の双方が実現できる車載器１が可能となる。
【００７６】
更に当該車載器１に外部と接続可能なインターフェイスを設けることによって、そのセットアップ作業を任意のコンピュータ端末から実行可能とし、作業負担も軽減することができる。
【図面の簡単な説明】
【００７７】
【図１】本発明の車載器のシステム構成の一例を示すシステム構成図である。
【図２】本発明の車載器での処理の流れの一例を示すフローチャート図である。
【図３】本発明の車載器での処理の流れの一例を示すフローチャート図である。
【図４】本発明の車載器のＥＴＣ情報のセットアップ作業を行う場合のシステム構成の一例を示すシステム構成図である。
【図５】本発明の車載器のカード情報のセットアップ作業を行う場合のシステム構成の一例を示すシステム構成図である。
【符号の説明】
【００７８】
１：車載器
２：アンテナ部
３：変復調部
４：制御処理部
５：ＥＴＣ処理部
６：スイッチ部
７：セキュリティモジュール部
８：ＩＣチップ部
９：外部インターフェイス部
１０：電源部
１１：リセット部
１２：路側アンテナ
【図１】
2005235117.tif 000003
【図２】
2005235117.tif 000004
【図３】
2005235117.tif 000005
【図４】
2005235117.tif 000006
【図５】
2005235117.tif 000007